(57)【要約】  【課題】  サービスが革新的であるか否かを判定することのできるサービス革新判定システムを提供する。  【解決手段】  サービス革新判定システムは、所定のキュレーションサイトにおいてサービスの名称が掲載された回数に基づいて算出されたサービスのスコアに関する情報と、当該サービスが革新的であるか否かを示す情報との関係を、機械学習により分析する。そして、所定の判定期間に、キュレーションサイトにおいて判定対象のサービスの名称が掲載された回数に基づいて、当該判定対象のサービスのスコアを算出し、機械学習により分析した関係に基づいて、算出した判定対象のサービスのスコアを入力として、当該判定対象のサービスが革新的であるか否かを推定して出力する。【選択図】  図１
2022000728.tif 000002
【特許請求の範囲】
【請求項１】
サービスが革新的であるか否かを判定するサービス革新判定システムにおいて、
所定のキュレーションサイトにおいてサービスの名称が掲載された回数に基づいて算出されたサービスのスコアに関する情報と、当該サービスが革新的であるか否かを示す情報との関係を、機械学習により分析する機械学習部と、
ユーザ操作に基づいて、判定対象のサービスの名称の情報を取得する情報取得部と、
所定の判定期間に、前記キュレーションサイトにおいて前記判定対象のサービスの名称が掲載された回数に基づいて、当該判定対象のサービスのスコアを算出するスコア算出部と、
前記機械学習部で分析した関係に基づいて、前記スコア算出部で算出した前記判定対象のサービスのスコアを入力として、当該判定対象のサービスが革新的であるか否かを推定して出力する推定部と、
を備えることを特徴とするサービス革新判定システム。
【請求項２】
前記キュレーションサイトは、複数のカテゴリに分類されており、
前記サービスのスコアは、各カテゴリに含まれるキュレーションサイトにおいて前記サービスの名称が掲載された回数に基づいて、前記カテゴリごとに算出される、請求項１に記載のサービス革新判定システム。
【請求項３】
前記サービスのスコアは、所定の関数を用いて前記カテゴリごとに算出される、請求項２に記載のサービス革新判定システム。
【請求項４】
サービスが革新的であるか否かを判定するサービス革新判定システムで実行される方法であって、
所定のキュレーションサイトにおいてサービスの名称が掲載された回数に基づいて算出されたサービスのスコアに関する情報と、当該サービスが革新的であるか否かを示す情報との関係を、機械学習により分析するステップと、
ユーザ操作に基づいて、判定対象のサービスの名称の情報を取得するステップと、
所定の判定期間に、前記キュレーションサイトにおいて前記判定対象のサービスの名称が掲載された回数に基づいて、当該判定対象のサービスのスコアを算出するステップと、
前記機械学習により分析した関係に基づいて、算出した前記判定対象のサービスのスコアを入力として、当該判定対象のサービスが革新的であるか否かを推定して出力するステップと、
を含むことを特徴とする方法。
【発明の詳細な説明】
【技術分野】
【０００１】
本発明は、サービスが革新的であるか否かを判定するサービス革新判定システムに関する。
【背景技術】
【０００２】
従来から、様々な事業者によって種々のサービスが提案されているが、そのサービスが革新的であるか否かを判定するシステムは、これまで提案されていなかった。例えば、あるサービスがキュレーションサイトに掲載されている場合であっても、そのサービスが必ずしも革新的であるわけではない。なお、キュレーションサイトに関する技術としては、従来、キュレーションされたコンテンツを評価するシステムが提案されている（例えば、特許文献１参照）。
【先行技術文献】
【特許文献】
【０００３】
【特許文献１】特開２０１５−０４９８９３号公報
【発明の概要】
【発明が解決しようとする課題】
【０００４】
しかしながら、従来のシステムでは、キュレーションサイトにサービスが掲載されている場合であっても、そのサービスが革新的であるか否かを判定することができない。
【０００５】
本発明は、上記の課題に鑑みてなされたもので、サービスが革新的であるか否かを判定することのできるサービス革新判定システムを提供することを目的とする。
【課題を解決するための手段】
【０００６】
本発明のサービス革新判定システムは、サービスが革新的であるか否かを判定するサービス革新判定システムにおいて、所定のキュレーションサイトにおいてサービスの名称が掲載された回数に基づいて算出されたサービスのスコアに関する情報と、当該サービスが革新的であるか否かを示す情報との関係を、機械学習により分析する機械学習部と、ユーザ操作に基づいて、判定対象のサービスの名称の情報を取得する情報取得部と、所定の判定期間に、前記キュレーションサイトにおいて前記判定対象のサービスの名称が掲載された回数に基づいて、当該判定対象のサービスのスコアを算出するスコア算出部と、前記機械学習部で分析した関係に基づいて、前記スコア算出部で算出した前記判定対象のサービスのスコアを入力として、当該判定対象のサービスが革新的であるか否かを推定して出力する推定部と、を備えている。
【０００７】
この構成によれば、所定の判定期間に、キュレーションサイトにおいて判定対象のサービスの名称が掲載された回数に基づいて、その判定対象のサービスのスコアが算出される。そして、判定対象のサービスのスコアが入力されると、機械学習で分析した関係（サービスのスコアに関する情報と、そのサービスが革新的であるか否かを示す情報との関係）を用いて、その判定対象のサービスが革新的であるか否かが推定される。このようにして、サービスが革新的であるか否かを判定することができる。
【０００８】
また、本発明のサービス革新判定システムでは、前記キュレーションサイトは、複数のカテゴリに分類されており、前記サービスのスコアは、各カテゴリに含まれるキュレーションサイトにおいて前記サービスの名称が掲載された回数に基づいて、前記カテゴリごとに算出されてもよい。
【０００９】
この構成によれば、キュレーションサイトが、複数のカテゴリに分類されており、サービスのスコアが、各カテゴリに含まれるキュレーションサイトにおいてサービスの名称が掲載された回数に基づいて、カテゴリごとに算出される。これにより、キュレーションサイトのカテゴリを考慮して、サービスが革新的であるか否かを判定することができる。
【００１０】
また、本発明のサービス革新判定システムでは、前記サービスのスコアは、所定の関数を用いて前記カテゴリごとに算出されてもよい。
【００１１】
この構成によれば、サービスのスコアが、所定の関数を用いてカテゴリごとに算出される。所定の関数としては、例えば、ｌｉｓｔ関数、ｍａｘ関数、ｓｕｍ関数、などが用いられる。
【００１２】
本発明の方法は、サービスが革新的であるか否かを判定するサービス革新判定システムで実行される方法であって、所定のキュレーションサイトにおいてサービスの名称が掲載された回数に基づいて算出されたサービスのスコアに関する情報と、当該サービスが革新的であるか否かを示す情報との関係を、機械学習により分析するステップと、ユーザ操作に基づいて、判定対象のサービスの名称の情報を取得するステップと、所定の判定期間に、前記キュレーションサイトにおいて前記判定対象のサービスの名称が掲載された回数に基づいて、当該判定対象のサービスのスコアを算出するステップと、前記機械学習部で分析した関係に基づいて、前記スコア算出部で算出した前記判定対象のサービスのスコアを入力として、当該判定対象のサービスが革新的であるか否かを推定して出力するステップと、を含んでいる。
【００１３】
この方法によっても、上記のシステムと同様、所定の判定期間に、キュレーションサイトにおいて判定対象のサービスの名称が掲載された回数に基づいて、その判定対象のサービスのスコアが算出される。そして、判定対象のサービスのスコアが入力されると、機械学習で分析した関係（サービスのスコアに関する情報と、そのサービスが革新的であるか否かを示す情報との関係）を用いて、その判定対象のサービスが革新的であるか否かが推定される。このようにして、サービスが革新的であるか否かを判定することができる。
【発明の効果】
【００１４】
本発明によれば、サービスが革新的であるか否かを判定することができる。
【図面の簡単な説明】
【００１５】
【図１】本発明の実施の形態におけるサービス革新判定システムの構成を示すブロック図である。
【図２】本発明の実施の形態におけるサービスのスコアの例を示す図である。
【図３】本発明の実施の形態におけるサービス革新判定システムの動作説明のためのフロー図である。
【発明を実施するための形態】
【００１６】
以下、本発明の実施の形態のサービス革新判定システムについて、図面を用いて説明する。本実施の形態では、サービスが革新的であるか否かを判定するサービス革新判定システムの場合を例示する。
【００１７】
本発明の実施の形態のサービス革新判定システムの構成を、図面を参照して説明する。図１は、本実施の形態のサービス革新判定システムの構成を示すブロック図である。図１に示すように、サービス革新判定システム１は、ネットワークＮを介して、ユーザ装置Ｕと接続されている。ユーザ装置Ｕは、システムユーザによって操作される装置であり、例えばパーソナルコンピュータなどで構成される。また、サービス革新判定システム１は、ネットワークＮを介して、キュレーションサイトＣを管理するサーバ装置Ｓとも接続されている。
【００１８】
サービス革新判定システム１は、機械学習部２と、情報取得部３と、スコア算出部４と、推定部５と、レポート作成部６と、記憶部７を備えている。
【００１９】
機械学習部２は、所定のキュレーションサイトＣにおいてサービスの名称が掲載された回数に基づいて算出されたサービスのスコアに関する情報と、そのサービスが革新的であるか否かを示す情報との関係を、機械学習により分析する。この機械学習には、ニューラルネットワークによるディープラーニング等の任意の手法が用いられる。
【００２０】
例えば、ニューラルネットワークであれば、所定のキュレーションサイトＣにおいてサービスの名称が掲載された回数に基づいて算出されたサービスのスコアに関する情報を入力層に入力し、そのサービスが革新的であるか否かを示す情報を出力層から出力するように構成する。そして、入力層に入力するデータと出力層から出力されるデータとが紐付けられた分析用データ（教師データ）を用いた教師あり学習によって、ニューラルネットワークのニューロン間の重み付け係数が最適化される。教師データとしては、例えば、キュレータなどの専門家が判断した、そのサービスが革新的であるか否かを示すデータ（革新的でない：０、革新的である：１、など）が用いられる。
【００２１】
また、機械学習部２は、後述するスコア算出部４で算出された判定対象のサービスのスコアに関する情報と推定部５から出力された判定対象のサービスが革新的であるか否かの情報を教師データとして用いて、関係の強化学習を行う（例えば、ニューラルネットワークのニューロン間の重み付け係数を最適化する）。このようにして、サービスのスコアに関する情報とそのサービスが革新的であるか否かの情報との関係の追加学習（強化学習）が行われる。
【００２２】
情報取得部３は、ユーザ装置Ｕで行われたユーザ操作に基づいて、判定対象のサービスの名称の情報を取得する。例えば、システムユーザがユーザ装置Ｕで判定対象のサービス名を入力すると、そのユーザ操作（入力操作）で入力された判定対象のサービスの名称の情報が取得される。
【００２３】
スコア算出部４は、所定の判定期間（例えば、分次、時次、日次、週次、月次、４半期、半期、年度、年間など）に、所定のキュレーションサイトＣにおいて判定対象のサービスの名称が掲載された回数に基づいて、その判定対象のサービスのスコアを算出する。判定期間は、システムユーザがユーザ装置Ｕで任意に設定することができる。キュレーションサイトＣにおいて判定対象のサービスの名称が掲載された回数の情報は、所定の周期でキュレーションサイトＣをクローリングし、キュレーションサイトＣに掲載された記事を解析することにより、自動的に取得することができる。
【００２４】
図２は、サービスのスコアの例を示す図である。図２に示すように、キュレーションサイトＣは、複数のカテゴリ（例えば、ビジネス成長、ＣＳＲ、ＳＤＧｓ、幸福度など）に分類されており、サービスのスコアは、各カテゴリに含まれるキュレーションサイトＣにおいてサービスの名称が掲載された回数に基づいて、カテゴリごとに算出される。
【００２５】
サービスのスコアは、所定の関数を用いてカテゴリごとに算出することができる。例えば、ｌｉｓｔ関数を用いる場合には、サービスのスコアは［１２，５，２３，９，５，１０，１２、・・・、３３１，１２３］と算出される。また、ｍａｘ関数を用いる場合には、サービスのスコアは［１２，２３，１２、・・・、３３１］と算出される。また、ｓｕｍ関数を用いる場合には、サービスのスコアは［１７，３７，２２、・・・、４５４］と算出される。なお、サービスのスコアの算出に用いられる関数が、上記の関数に限られないことは言うまでもない。
【００２６】
推定部５は、機械学習部２で分析した関係に基づいて、スコア算出部４で算出した判定対象のサービスのスコアを入力として、その判定対象のサービスが革新的であるか否かを推定して出力する。例えば、上記のニューラルネットワークであれば、スコア算出部４で算出した判定対象のサービスのスコアに関する情報を入力層に入力し、その判定対象のサービスが革新的であるか否かに関する情報を出力層から出力する。このようにして、システムユーザが入力した判定対象のサービスが革新的であるか否かの推定が行われる。
【００２７】
レポート作成部６は、推定部５から出力された判定対象のサービスが革新的であるか否かの情報に基づいて、システムユーザに提供するレポートを自動で作成する機能を備えている。システムユーザは、レポート作成部６で作成されたレポートを見ることにより、自らが入力した判定対象のサービスが革新的であるか否かを知ることができる。
【００２８】
記憶部７には、サービス革新判定システム１で判定対象のサービスが革新的であるか否かの推定を行うために必要なデータが記憶される。また、記憶部７には、レポート作成部６で作成したレポートのデータ等が記憶される。
【００２９】
以上のように構成されたサービス革新判定システム１について、図３のフロー図を参照してその動作を説明する。
【００３０】
図３に示すように、本実施の形態のサービス革新判定システム１では、まず、機械学習部２が、所定のキュレーションサイトＣにおいてサービスの名称が掲載された回数に基づいて算出されたサービスのスコアに関する情報と、当該サービスが革新的であるか否かを示す情報との関係を、機械学習により分析する（Ｓ１）。
【００３１】
その後、情報取得部３が、システムユーザのユーザ操作に基づいて、判定対象のサービスの名称の情報を取得すると（Ｓ２）、スコア算出部４が、所定の判定期間に、キュレーションサイトＣにおいて判定対象のサービスの名称が掲載された回数に基づいて、その判定対象のサービスのスコアを算出する（Ｓ３）。そして、推定部５が、機械学習により分析した関係に基づいて、算出した判定対象のサービスのスコアを入力として、当該判定対象のサービスが革新的であるか否かを推定し（Ｓ４）、レポート作成部６によってレポートが作成される（Ｓ５）。
【００３２】
最後に、スコア算出部４で算出された判定対象のサービスのスコアに関する情報と推定部５から出力された判定対象のサービスが革新的であるか否かの情報を教師データとして用いて、機械学習部２で、サービスのスコアに関する情報とそのサービスが革新的であるか否かの情報との関係の追加学習（強化学習）が行われる（Ｓ６）。
【００３３】
このような本実施の形態のサービス革新判定システム１によれば、所定の判定期間に、キュレーションサイトＣにおいて判定対象のサービスの名称が掲載された回数に基づいて、その判定対象のサービスのスコアが算出される。そして、判定対象のサービスのスコアが入力されると、機械学習で分析した関係（サービスのスコアに関する情報と、そのサービスが革新的であるか否かを示す情報との関係）を用いて、その判定対象のサービスが革新的であるか否かが推定される。このようにして、サービスが革新的であるか否かを判定することができる。
【００３４】
また、本実施の形態では、キュレーションサイトＣが、複数のカテゴリに分類されており、サービスのスコアが、各カテゴリに含まれるキュレーションサイトＣにおいてサービスの名称が掲載された回数に基づいて、カテゴリごとに算出される。これにより、キュレーションサイトＣのカテゴリを考慮して、サービスが革新的であるか否かを判定することができる。
【００３５】
また、本実施の形態では、サービスのスコアが、所定の関数を用いてカテゴリごとに算出される。所定の関数としては、例えば、ｌｉｓｔ関数、ｍａｘ関数、ｓｕｍ関数、などが用いられる。
【００３６】
以上、本発明の実施の形態を例示により説明したが、本発明の範囲はこれらに限定されるものではなく、請求項に記載された範囲内において目的に応じて変更・変形することが可能である。
【産業上の利用可能性】
【００３７】
以上のように、本発明にかかるサービス革新判定システムは、サービスが革新的であるか否かを判定することができるという効果を有し、サービス評価システム等に適用され、有用である。
【符号の説明】
【００３８】
１  サービス革新判定システム
２  機械学習部
３  情報取得部
４  スコア算出部
５  推定部
６  レポート作成部
７  記憶部
Ｎ  ネットワーク
Ｕ  ユーザ装置
Ｃ  キュレーションサイト
Ｓ  サーバ装置
【図１】
2022000728.tif 000003
【図２】
2022000728.tif 000004
【図３】
2022000728.tif 000005
【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
所定のキュレーションサイトにおいてサービスの名称が掲載された回数に基づいて算出されたサービスのスコアに関する情報と、当該サービスに対する専門家の評価を示す情報との関係を、機械学習により分析する機械学習部と、
ユーザ操作に基づいて、判定対象のサービスの名称の情報を取得する情報取得部と、
所定の判定期間に、前記キュレーションサイトにおいて前記判定対象のサービスの名称が掲載された回数に基づいて、当該判定対象のサービスのスコアを算出するスコア算出部と、
前記機械学習部で分析した関係に基づいて、前記スコア算出部で算出した前記判定対象のサービスのスコアを入力として、当該判定対象のサービスに対する専門家の評価を推定して出力する推定部と、
を備え、
前記機械学習部では、前記推定部から出力される、前記判定対象のサービスに対する専門家の評価の情報を教師データとして用いて、前記サービスのスコアに関する情報と、当該サービスに対する専門家の評価を示す情報との関係の追加学習が行われる、ことを特徴とするサービス評価システム。
【請求項２】
前記キュレーションサイトは、複数のカテゴリに分類されており、
前記サービスのスコアは、各カテゴリに含まれるキュレーションサイトにおいて前記サービスの名称が掲載された回数に基づいて、前記カテゴリごとに算出される、請求項１に記載のサービス評価システム。
【請求項３】
前記サービスのスコアは、所定の関数を用いて前記カテゴリごとに算出される、請求項２に記載のサービス評価システム。
【請求項４】
サービス評価システムで実行される方法であって、
前記方法は、
所定のキュレーションサイトにおいてサービスの名称が掲載された回数に基づいて算出されたサービスのスコアに関する情報と、当該サービスに対する専門家の評価を示す情報との関係を、機械学習により分析するステップと、
ユーザ操作に基づいて、判定対象のサービスの名称の情報を取得するステップと、
所定の判定期間に、前記キュレーションサイトにおいて前記判定対象のサービスの名称が掲載された回数に基づいて、当該判定対象のサービスのスコアを算出するステップと、
前記機械学習により分析した関係に基づいて、算出した前記判定対象のサービスのスコアを入力として、当該判定対象のサービスに対する専門家の評価を推定して出力するステップと、
を含み、
前記方法は、さらに、
前記推定して出力するステップで出力される、前記判定対象のサービスに対する専門家の評価の情報を教師データとして用いて、前記サービスのスコアに関する情報と、当該サービスに対する専門家の評価を示す情報との関係の追加学習を行うステップを含む、ことを特徴とする方法。